【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
携帯型フィールド保守ツールであって、
（Ａ）筺体と、
（Ｂ）前記筺体内にアクセス可能な内部部分を含む、前記筺体に配置された通信インタフェースと、
（Ｃ）第１のプロトコルに従って通信し、さらに第２のプロトコルに従って通信するよう構成された、前記筺体内に配置され、かつ前記通信インタフェースの前記内部部分に電気的に接続された、１つ以上の通信回路と、
（Ｄ）前記第１のプロトコルに従って電力を供給するよう、さらに、前記第２のプロトコルに従って電力を供給するよう構成された、前記筺体内に配置され、かつ前記通信インタフェースの前記内部部分に電気的に接続された、１つ以上の電源と、
を備え、
前記通信インタフェースが、
（ｉ）第１のフィールドデバイスが、前記第１のプロトコルに従って前記１つ以上の電源から前記第１のフィールドデバイスに電力を供給するよう、かつ前記第１のフィールドデバイスを前記1つ以上の通信回路に通信可能に接続するよう構成された第１の合成信号を受信するよう、前記第１のフィールドデバイスに接続可能であり、
（ｉｉ）第２のフィールドデバイスが、前記第２のプロトコルに従って前記１つ以上の電源から前記第２のフィールドデバイスに電力を供給するよう、かつ前記第２のフィールドデバイスを前記１つ以上の通信回路に通信可能に接続するよう構成された第２の合成信号を受信するよう、前記第２のフィールドデバイスに接続可能である、１つ以上の端子をさらに含む、携帯型フィールド保守ツール。
【請求項２】
前記１つ以上の通信回路が、デジタル振幅変調（ＡＭ）通信信号によって前記第１のプロトコルに従って通信するよう構成される、請求項１に記載の携帯型フィールド保守ツール。
【請求項３】
前記１つ以上の通信回路が、デジタル周波数変調（ＦＭ）通信信号によって前記第２のプロトコルに従って通信するよう構成される、請求項１又は請求項２に記載の携帯型フィールド保守ツール。
【請求項４】
前記第１のプロトコルが、ＨＡＲＴプロトコルであり、前記第２のプロトコルが、フィールドバスプロトコルである、請求項１乃至請求項３のいずれか１項に記載の携帯型フィールド保守ツール。
【請求項５】
前記１つ以上の通信回路が、
（ｉ）前記第１のプロトコルに従って通信するよう構成された第１の通信回路と、
（ｉｉ）前記第２のプロトコルに従って通信するよう構成された第２の通信回路と、
を備え、
前記１つ以上の電源が、
（ｉ）前記第１のプロトコルに従って電力を供給するよう構成された第１の電源と、
（ｉｉ）前記第２のプロトコルに従って電力を供給するよう構成された第２の電源と、
を備える、請求項１乃至請求項４のいずれか１項に記載の携帯型フィールド保守ツール。
【請求項６】
前記１つ以上の端子が、
前記第１の通信回路及び前記第１の電源に電気的に接続された第１の端子対であって、前記第１の合成信号が前記第１の端子対を介して前記第１のフィールドデバイスに送信される、第１の端子対と、
前記第２の通信回路及び前記第２の電源に電気的に接続された第２の端子対であって、前記第２の合成信号が前記第２の端子対を介して前記第２のフィールドデバイスに送信される、第２の端子対と、
を備える、請求項１乃至請求項５のいずれか１項に記載の携帯型フィールド保守ツール。
【請求項７】
前記第１の端子対及び前記第２の端子対に電気的に接続された１つ以上のエネルギー測定回路をさらに備え、該１つ以上のエネルギー測定回路が、前記第１の端子対において前記第１の合成信号の１つ以上の電気的特性を測定し、前記第２の端子対において前記第２の合成信号の１つ以上の電気的特性を測定するよう構成される、請求項１乃至請求項６のいずれか１項に記載の携帯型フィールド保守ツール。
【請求項８】
前記１つ以上の電源及び前記１つ以上の通信回路が、本質安全エネルギーレベルを上回ることを回避するよう構成される、請求項１乃至請求項７のいずれか１項に記載の携帯型フィールド保守ツール。
【請求項９】
前記第１の合成信号が、アナログＤＣ通信信号、及び該アナログＤＣ通信信号に重畳されたデジタルＦＭ通信信号を含む、請求項１乃至請求項８のいずれか１項に記載の携帯型フィールド保守ツール。
【請求項１０】
フィールドデバイスと通信するための方法であって、
携帯型フィールド保守ツールを第１のプロトコルに従って構成された第１のフィールドデバイスに通信可能に接続することと、
前記携帯型フィールド保守ツールによって前記第１のプロトコルに従って構成された第１の合成信号を送信することであって、該第１の合成信号が、（ｉ）前記第１のフィールドデバイスに給電するための第１の電力信号、及び（ｉｉ）前記第１のフィールドデバイスと通信するための第１の通信信号を含む、送信することと、
携帯型フィールド保守ツールを第２のプロトコルに従って構成された第２のフィールドデバイスに通信可能に接続することと、
前記携帯型フィールド保守ツールによって前記第２のプロトコルに従って構成された第２の合成信号を送信することであって、該第２の合成信号が、（ｉ）前記第２のフィールドデバイスに給電するための第２の電力信号、及び（ｉｉ）前記第２のフィールドデバイスと通信するための第２の通信信号を含む、送信することと、
を含む、方法。
【請求項１１】
前記第２のプロトコルに従って構成された前記第２の合成信号を送信することが、
フィールドバスプロトコルに従って前記第２の合成信号を送信すること、
を含む、請求項１０に記載の方法。
【請求項１２】
前記第１の合成信号を送信することが、ある期間にわたって前記第１の電力信号をランプすることを含む、請求項１０又は請求項１１に記載の方法。
【請求項１３】
前記携帯型フィールド保守ツールを前記第１のフィールドデバイスに通信可能に接続することは、前記携帯型フィールド保守ツールの第１の端子対を前記第１のフィールドデバイスに通信可能に接続することを含み、前記第１の合成信号を送信することは前記第１の端子対を介して前記第１の合成信号を送信することを含んでおり、
前記携帯型フィールド保守ツールを前記第２のフィールドデバイスに通信可能に接続することは、前記携帯型フィールド保守ツールの第２の端子対を前記第２のフィールドデバイスに通信可能に接続することを含み、前記第２の合成信号を送信することは前記第２の端子対を介して前記第２の合成信号を送信することを含んでいる、請求項１０乃至請求項１２のいずれか１項に記載の方法。
【請求項１４】
前記第１の端子対において前記第１の合成信号の１つ以上の電気的特性を測定し、前記第２の端子対において前記第２の合成信号の１つ以上の電気的特性を測定すること、をさらに含む、請求項１０乃至請求項１３のいずれか１項に記載の方法。
【請求項１５】
前記第２の電力信号が前記第２のフィールドデバイスに送信可能となるように、電力端子と前記第２の端子対の１つとの間にシャントを置くことをさらに含む、請求項１０乃至請求項１４のいずれか１項に記載の方法。
【請求項１６】
前記第１の合成信号または前記第２の合成信号のいずれかが電気閾値を上回る場合に、１つ以上の電源を停止させることをさらに含む、請求項１０乃至請求項１５のいずれか１項に記載の方法。
【請求項１７】
前記電気閾値は、本質安全エネルギーレベルに関する、請求項１６に記載の携帯型フィールド保守ツール。
【請求項１８】
前記電気閾値は、４５ｍＡ〜５５ｍＡの範囲の値を有する電流閾値である、請求項１７に記載の方法。
【請求項１９】
前記電気閾値は、２５Ｖ〜３５Ｖの範囲の値を有する電圧閾値である、請求項１７又は請求項１８に記載の方法。
【請求項２０】
前記電気閾値は、１Ｗ〜１．５Ｗの範囲の値を有する電力閾値である、請求項１７乃至請求項１９のいずれか１項に記載の方法。